(57)【要約】【課題】簡単な構成かつ省スペース化が可能で、施工の手間を軽減することができる人体検知装置の取付構造を提供する。【解決手段】取付ブラケット１は、両端部の内側の下部に基端部が保持されてブラケット内側へ起倒可能に設けられた支持軸７と、当該両端部の内側の上部に設けられて支持軸の起立時にその先端部を案内するガイド部８と、取付ブラケットの両端部の端壁を貫通する切欠部６とを有し、支持軸７に、該支持軸から外方へ突出する取付ばね１６が軸方向に移動自在に取り付けられるとともに、取付ばねにばね力を付加して押圧位置に保持させる圧縮ばね１５が取り付けられ、支持軸をガイド部に沿って起立させる動作により、取付ばねが切欠部を通って天井材Ｃの上面を押圧することにより、取付ブラケットが天井材に固定される。【選択図】図３
2012146503.tif 000002
【特許請求の範囲】
【請求項１】
天井材に開口が形成され、この開口に取付ブラケットが嵌め込まれて該取付ブラケット内に装置本体が収納される人体検知装置の取付構造であって、
前記取付ブラケットは、両端部の内側の下部に基端部が保持されてブラケット内側へ起倒可能に設けられた支持軸と、当該両端部の内側の上部に設けられて前記支持軸の起立時にその先端部を案内するガイド部と、前記取付ブラケットの両端部の端壁を貫通する切欠部とを有し、
前記支持軸に、該支持軸から外方へ突出する取付ばねが軸方向に移動自在に取り付けられるとともに、前記取付ばねにばね力を付加して押圧位置に保持させる圧縮ばねが取り付けられ、
前記支持軸を前記ガイド部に沿って起立させる動作により、前記取付ばねが前記切欠部を通って天井材の上面を押圧することにより、前記取付ブラケットが天井材に固定される、
人体検知装置の取付構造。
【請求項２】
請求項１において、
前記取付ばねは、前記支持軸に移動自在に取り付けられる軸取付部と、前記支持軸から外方に突出する側面視で略円弧状のばね本体とを有し、
前記支持軸を前記ガイド部に沿って起立させる動作で、前記ばね本体の先端部が天井材上面に接触した状態で、前記支持軸の起立状態で前記軸取付部が該支持軸と噛み合うことにより、前記取付ばねの押圧姿勢を保持する、人体検知装置の取付構造。
【請求項３】
請求項２において、
天井材の板厚に応じて、前記圧縮ばねが圧縮されることにより、前記取付ばねの軸取付部が上方に移動する、人体検知装置の取付構造。
【請求項４】
請求項１から３のいずれか１項において、
前記支持軸は、その横断面形状がＤ字状の形状を有し、前記取付ばねの該支持軸を挿通させる挿通孔と周方向に相対移動不能に係合している、人体検知装置の取付構造。
【発明の詳細な説明】
【技術分野】
【０００１】
本発明は、天井や無目の開口に人体検知装置を埋め込むための人体検知装置の取付構造に関する。
【背景技術】
【０００２】
この種の取付構造では、従来から、センサを天井や無目の開口に埋め込む埋込型センサが知られている。この従来の取付構造として、下端周縁部に鍔を有する筒状のベース本体と、ベース本体天板とバネと挟金具とを介してナットに螺合する取付ねじを備えて、挟金具をバネで天井裏面に押し付けて、天井面を挟み込むことにより固定する感知器ベースが挙げられる（例えば、特許文献１）。
【０００３】
また、天井開口に埋め込む取付装置の鍔付きベースに２本の取付ねじにより固定バネを支持させて、取付ねじを締め込むことにより固定バネを天井裏面に押し付けて、天井面を挟み込むことにより固定する火災感知器の取付装置も知られている（例えば、特許文献２）。
【先行技術文献】
【特許文献】
【０００４】
【特許文献１】実用新案登録第２５２６０８７号公報
【特許文献２】実公平６−３９４３７号公報
【発明の概要】
【発明が解決しようとする課題】
【０００５】
しかし、特許文献１の取付構造では、感知器ベースを天井板に取り付ける際に、ドライバで取付ねじを十分にゆるめた状態にして天井開口に挿入した後、取付ねじを締め付けて挟金具を固定する必要があること、および、感知器ベースを挿入する際、挟金具は内側に押圧されるものの、両外方に張り出しているため端部を天井開口に引っ掛けやすいことから、施工に手間がかかる。さらに、ねじ構造のため、ねじ頭分のスペースが必要となるため省スペース化が図れない。
【０００６】
また、特許文献２の取付構造でも、ドライバを使用して取付ねじを締め付けて固定バネを固定する必要があること、および、取付装置を挿入する際に、同様に両外方に張り出した固定バネの端部を天井開口に引っ掛けやすいことから、施工に手間がかかり、また、ねじ構造のため省スペース化も図れない。
【０００７】
本発明は、前記の問題点を解決して、簡単な構成かつ省スペース化が可能で、施工の手間を軽減することができる人体検知装置の取付構造を提供することを目的とする。
【課題を解決するための手段】
【０００８】
前記目的を達成するために、本発明にかかる人体検知装置の取付構造は、天井材に開口が形成され、この開口に取付ブラケットが嵌め込まれて該取付ブラケット内に装置本体が収納されるものであって、前記取付ブラケットは、両端部の内側の下部に基端部が保持されてブラケット内側へ起倒可能に設けられた支持軸と、当該両端部の内側の上部に設けられて前記支持軸の起立時にその先端部を案内するガイド部と、前記取付ブラケットの両端部の端壁を貫通する切欠部とを有し、前記支持軸に、該支持軸から外方へ突出する取付ばねが軸方向に移動自在に取り付けられるとともに、前記取付ばねにばね力を付加して押圧位置に保持させる圧縮ばねが取り付けられ、前記支持軸を前記ガイド部に沿って起立させる動作により、前記取付ばねが前記切欠部を通って天井材の上面を押圧することにより、前記取付ブラケットが天井材に固定されるものである。
【０００９】
この構成によれば、支持軸が取付ブラケットの内側で起倒するので、取付ブラケットを開口に挿入する際に、支持軸が内側に倒されてこれに取り付けられた取付ばねを取付ブラケットから張り出させることがなく、かつ、支持軸をガイド部に沿って起立させる動作のみで、取付ばねが天井材上面を押圧して、取付ブラケットを天井材に固定させることができる。これにより、簡単な構成かつ省スペース化が可能で、施工の手間を軽減することができる。
【００１０】
好ましくは、前記取付ばねは、前記支持軸に移動自在に取り付けられる軸取付部と、前記支持軸から外方に突出する側面視で略円弧状のばね本体とを有し、
前記支持軸を前記ガイド部に沿って起立させる動作で、前記ばね本体の先端部が天井材上面に接触した状態で、前記支持軸の起立状態で前記軸取付部が該支持軸と噛み合うことにより、前記取付ばねの押圧姿勢を保持する。したがって、支持軸を起立させる動作のみで、取付ばねが天井材上面に接触した状態で弾性変形して、天井材を十分に押圧することができる。
【００１１】
好ましくは、天井材の板厚に応じて、前記圧縮ばねが圧縮されることにより、前記取付ばねの軸取付部が上方に移動する。したがって、天井材の板厚に対応して、取付ばねの軸取付部を上方に押し上げることにより、取付ブラケットを天井材に固定することができる。
【００１２】
好ましくは、前記支持軸は、その横断面形状がＤ字状の形状を有し、前記取付ばねの該支持軸を挿通させる挿通孔と周方向に相対移動不能に係合させている。したがって、支持軸の起倒時に取付ばねが周方向に移動しないようにその姿勢を保持できる。
【発明の効果】
【００１３】
本発明では、支持軸が取付ブラケットの内側方で起倒するので、取付ブラケットを開口に挿入する際に、取付ばねを取付ブラケットから張り出させることがなく、かつ、支持軸をガイド部に沿って起立させる動作のみで、取付ばねが天井材上面を押圧して、取付ブラケットを天井材に固定させることができる。
【図面の簡単な説明】
【００１４】
【図１】本発明の一実施形態に係る人体検知装置の取付構造を示す側面図である。
【図２】本取付構造を示す斜視図である。
【図３】本取付構造の要部を示す斜視図である。
【図４】（Ａ）は本取付構造の動作を示す一部側面図、（Ｂ）はその斜視図である。
【図５】（Ａ）は本取付構造の動作を示す一部側面図、（Ｂ）はその斜視図である。
【図６】（Ａ）、（Ｂ）は本取付構造の動作を示す一部側面図である。
【図７】本取付構造の動作を示す一部側面図である。
【発明を実施するための形態】
【００１５】
以下、本発明の実施形態を図面にしたがって説明する。図１は本発明の一実施形態に係る人体検知装置の取付構造を示す側面図、図２はその斜視図である。図１のように、本取付構造では、取付ブラケット１が、下端周縁部に鍔部２と有蓋筒状の収納部３とを有し、天井の天井材Ｃに形成された開口５に嵌め込まれて取り付けられる。この開口５は収納部３よりも若干大きく鍔部２よりも小さく形成される。取付ブラケット１が開口５に取り付けられた後に、装置本体４が取付ブラケット１の収納部３に収納されて、図示しない係止爪またはネジ止め等で固定される。
【００１６】
図２のように、取付ブラケット１は、その両端部１ａにそれぞれ端壁を貫通する切欠部６が設けられている。また、支持軸（シャフト）７が取付ブラケット１の両端部１ａの内側の下部に基端部が保持されてその内側へ起倒可能に設けられており、起立時にこの切欠部６に臨むとともに、切欠部６を通って支持軸７に取り付けられた取付ばね１６が取付ブラッケット１から出入する。
【００１７】
図３は、本取付構造の要部を示すもので、取付ブラケット１は、両端部内側の下部に基端保持部９が設けられ、この基端保持部９に基端部７ｂが保持されてブラケット内側へ起倒可能に設けられた支持軸７と、下部の基端保持部９に相対向して当該両端部内側の上部に設けられて支持軸７の起立時近傍でその先端部７ａを案内するガイド部８とを有している。
【００１８】
基端保持部９は、取付ブラケット１の両端部１ａの内側下壁に固定されて支持軸７の基端部７ｂを挟む両側一対の基台９ｋと、支持軸７を回動自在に軸支する軸９ｊとを有して、支持軸７を軸９ｊ回りに回動自在に保持する。ガイド部８は、両端部１ａの内側上壁に設けられて平面視で略Ｕ字状の曲線形状の溝からなり、支持軸７を起立させる動作にしたがい、支持軸７の先端部７ａが溝内に沿って支持軸７の起立位置に容易に導かれて、該起立位置で支持軸７は起立状態に保持される。支持軸７を倒す場合には、支持軸７に手前方向へ若干の力を加えて起立位置から先端部７ａを脱出させたうえで倒す動作により、先端部７ａが起立動作と逆方向に溝内に沿って容易に導かれて、支持軸７の起立動作と同様に倒す動作を容易に行うことができる。
【００１９】
支持軸７に、該支持軸７から外方へ突出する板状の取付ばね１６が軸方向に移動自在に取り付けられるとともに、取付ばね１６にばね力を付加して押圧位置に保持させる圧縮ばね１５が取り付けられている。支持軸７は取付ブラケット１の内側で起倒し、取付ばね１６はそれに伴って取付ブラケット１の内側を通るものであり、支持軸７を倒しているときには取付ばね１６は取付ブラケット１の内側に位置して張り出さないようにでき、支持軸７の起立時には取付ばね１６は切欠部６を通って取付ブラケット１の外側に位置する。支持軸７の先端部７ａ下に止め輪１２が設けられて、圧縮ばね１５の抜け止めとなっている。この圧縮ばね１５と基端保持部９との間に取付ばね１６が配置されている。取付ばね１６は、支持軸７に移動自在に取り付けられる軸取付部１７と支持軸７から外方に突出する形状のばね本体１８とを備え、基端側の軸取付部１７は、支持軸７を挿通させるための挿通孔１７ａをもつ平板１７ｂと垂直板１７ｃからなるＬ字状の形状を有し、ばね本体１８は側面視で略円弧状の形状を有する。天井材Ｃ下面からばね本体１８の基端（垂直板１７ｃの上端）の高さは、天井材Ｃの種々の板厚に対応させるため、例えば１６ｍｍに設定される。
【００２０】
支持軸７は、その横断面形状がＤ字状の形状を有し、取付ばね１６の支持軸７を挿通させる挿通孔１７ａもＤ字状の形状を有して、取付ばね１６の挿通孔１７ａと周方向に相対移動不能に係合させている。これにより、支持軸７の起倒動作に際して取付ばね１６が周方向に移動しないようにその姿勢を保持できる。
【００２１】
支持軸７をガイド部８に沿って起立させる動作で、取付ばね１６が切欠部６を通って取付ばね１６の先端部が天井材Ｃ上面に接触した状態で、まず、圧縮ばね１５により取付ばね１６にばね力を付加して常に支持軸７が押圧状態となる位置である押圧位置に保持させる。これとともに、支持軸７の起立時に取付ばね１６の軸取付部１７が若干斜めに傾いて（図１）、その軸取付部１７の挿通孔１７ａの内周面と支持軸７の外周面とが噛み合うことにより、取付ばね１６が押圧姿勢を保持しながら弾性変形して天井材Ｃを下方向に押圧する。これにより、取付ブラケット１を天井材Ｃに固定することができる。
【００２２】
図４（Ａ）に示すように、取付ブラケット１を開口５に取り付ける際には、図４（Ｂ）に示すように、支持軸（シャフト）７が内側へ倒されて、取付ブラケット１が上方向へ開口５に挿入される。したがって、取付ブラケット１を開口５へ挿入する場合に、支持軸７を内側へ倒すことで、取付ブラケット１から取付ばね１６を張り出させないようにできる。
【００２３】
つぎに、図５（Ａ）に示すように、支持軸（シャフト）７が矢印方向に引き起こされ、図５（Ｂ）に示すように、この起立動作により、取付ばね１６が切欠部６から取付ブラケット１外方へ突出されて、その先端部が天井材Ｃ上面に接触される。さらに、支持軸７がガイド部８により起立位置まで案内されて、取付ばね１６が弾性変形により広がり、天井材Ｃに対して下方向へのばね力によるテンションが掛かる。このとき、支持軸（シャフト）７にも取付ばね１６の当該テンションが掛かるが、ガイド部８により起立位置へ案内されて当該起立位置で容易に保持される。
【００２４】
図６（Ａ）、（Ｂ）は、天井材Ｃの板厚が薄い場合の例を示す。図６（Ａ）のように、例えば、天井材Ｃの板厚２ｍｍのとき、約５Ｎのテンションが掛かって取付ブラケット１が固定される。また、図６（Ｂ）のように、天井材Ｃの板厚１２ｍｍのとき、約１０Ｎのテンションが掛かって取付ブラケット１が固定される。
【００２５】
図７は、天井材Ｃの板厚が厚い場合の例を示す。この場合、圧縮ばね１５を圧縮させ、取付ばね１６の軸取付部１７を上方に移動させて取付ばね１６を押し上げた状態で、支持軸（シャフト）７を起立させる動作が行われる。上記と同様に、支持軸７がガイド部８に沿って起立位置まで案内されて、当該起立位置に保持され、取付ブラケット１が固定される。
【００２６】
これにより、支持軸が取付ブラケットの内側で起倒するので、取付ブラケットを開口に挿入する際に、支持軸が内側に倒されてこれに取り付けられた取付ばねを取付ブラケットから張り出させることがなく、かつ、支持軸をガイド部に沿って起立させる動作のみで、取付ばねが天井材に接触したのち弾性変形して天井材を押圧して、取付ブラケットを天井材に固定することができる。これにより、簡単な構成かつ省スペース化が可能で、施工の手間を軽減することができる。
【００２７】
なお、上記実施形態では、取付ブラケットが、天井の天井材に形成された開口に取り付けられているが、無目の天井材に形成された開口に取り付けられてもよい。
【００２８】
なお、上記実施形態では、本取付構造を自動ドアセンサのような人体検知装置に適用しているが、人体検知装置の周辺機器、照明器具、スピーカおよびカメラなどの比較的軽量の天井埋込機器に適用してもよい。
【符号の説明】
【００２９】
１：取付ブラケット
４：装置本体
５：開口
６：切欠部
７：支持軸（シャフト）
８：ガイド部
１５：圧縮ばね
１６：取付ばね
１７：軸取付部
１８：ばね本体
Ｃ：天井材
【図１】
2012146503.tif 000003
【図２】
2012146503.tif 000004
【図３】
2012146503.tif 000005
【図４】
2012146503.tif 000006
【図５】
2012146503.tif 000007
【図６】
2012146503.tif 000008
【図７】
2012146503.tif 000009